(57)【特許請求の範囲】
【請求項１】
ピットに設けられ、間口方向に延びた回動軸を中心に回動することによって、前記回動軸から水平方向に延びる水平位置と前記回動軸から下方に延びる下延位置との間で変位する第１踏段部と、
前記第１踏段部に設けられ、前記第１踏段部の変位にともなって下端部が前記ピットの壁に沿って昇降する連結板と、
前記連結板に設けられ、前記連結板の昇降にともなって昇降する第２踏段部と
を備えたことを特徴とするエレベータピット昇降用梯子。
【請求項２】
前記第１踏段部に設けられ、前記第１踏段部を変位させるための取手をさらに備えたことを特徴とする請求項１に記載のエレベータピット昇降用梯子。
【請求項３】
前記第１踏段部の位置が前記水平位置である場合に前記第２踏段部を水平状態に維持する水平状態維持部材をさらに備えたことを特徴とする請求項１または請求項２に記載のエレベータピット昇降用梯子。
【請求項４】
前記第２踏段部は、網状に形成されていることを特徴とする請求項１から請求項３までの何れか一項に記載のエレベータピット昇降用梯子。
【請求項５】
前記連結板の下端部は、前記第１踏段部の位置が前記水平位置である場合に、前記ピットの壁に形成された凹部に支持されることを特徴とする請求項１から請求項４までの何れか一項に記載のエレベータピット昇降用梯子。
【発明の詳細な説明】
【技術分野】
【０００１】
この発明は、作業者が昇降路のピットと乗場との間を移動する際に用いられるエレベータピット昇降用梯子に関する。
【背景技術】
【０００２】
従来、昇降路のピットに固定された取付装置と、取付装置に取り付けられ、長手方向に伸縮可能な梯子本体と、梯子本体が延びている状態を保持するロック装置と、梯子本体に接続され、梯子本体から最下階の乗場に達する梯子引上用連続体とを備え、作業者が梯子引上用連続体を操作することによって、梯子本体が、ピットに収容された収納位置とピットの床から最下階の乗場まで達する立掛位置との間で変位するエレベータピット昇降用梯子が知られている（例えば、特許文献１参照）。
【先行技術文献】
【特許文献】
【０００３】
【特許文献１】特開２０１０−５８８７９号公報
【発明の概要】
【発明が解決しようとする課題】
【０００４】
しかしながら、梯子引上用連続体を用いて梯子本体を伸張させ、さらに、ロック装置を操作して梯子本体が伸張している状態を保持させるので、エレベータピット昇降用梯子の組立作業の効率が悪いという問題点があった。
【０００５】
この発明は、組立作業の効率を向上させることができるエレベータピット昇降用梯子を提供するものである。
【課題を解決するための手段】
【０００６】
この発明に係るエレベータピット昇降用梯子は、ピットに設けられ、間口方向に延びた回動軸を中心に回動することによって、回動軸から水平方向に延びる水平位置と回動軸から下方に延びる下延位置との間で変位する第１踏段部と、第１踏段部に設けられ、第１踏段部の変位にともなって下端部がピットの壁に沿って昇降する連結板と、連結板に設けられ、連結板の昇降にともなって昇降する第２踏段部とを備えている。
【発明の効果】
【０００７】
この発明に係るエレベータピット昇降用梯子によれば、第１踏段部の位置を下方位置から水平位置に変位させることによって組み立てることができるので、組立作業の効率を向上させることができる。
【図面の簡単な説明】
【０００８】
【図１】この発明の実施の形態１に係るエレベータピット昇降用梯子を示す斜視図である。
【図２】図１のエレベータピット昇降用梯子を示す側面図である。
【図３】図１のエレベータピット昇降用梯子が変位した状態を示す斜視図である。
【図４】図３のエレベータピット昇降用梯子を示す側面図である。
【発明を実施するための形態】
【０００９】
実施の形態１．
図１はこの発明の実施の形態１に係るエレベータピット昇降用梯子を示す斜視図、図２は図１のエレベータピット昇降用梯子を示す側面図、図３は図１のエレベータピット昇降用梯子が変位した状態を示す斜視図、図４は図３のエレベータピット昇降用梯子を示す側面図である。エレベータ昇降用梯子は、乗場敷居１００に上端部が固定され、乗場敷居１００から下方に延びた板状の基部１と、基部１に取り付けられた一対の蝶番２と、蝶番２を介して基部１に回動可能に設けられた板状の第１踏段部３と、第１踏段部３に設けられた取手４と、第１踏段部３に設けられた一対の蝶番５と、蝶番５を介して第１踏段部３に回動可能に設けられた連結板６と、連結板６に設けられた第２踏段部７と、第２踏段部７に設けられた一対のチェーン（水平状態維持部材）８と、連結板６に設けられた一対のローラ９とを備えている。エレベータピット昇降用梯子は、ピット１０１に配置されている。この例では、エレベータピット昇降用梯子は、乗場のトーガードを構成している。つまり、エレベータピット昇降用梯子は、トーガードと兼用となっている。
【００１０】
基部１の上部には、チェーン８と係合する係合孔（係合部）１１が２個形成されている。係合孔１１は、基部１の間口方向両端部に配置されている。この例では、間口方向とは、乗場についての間口方向であり、図１の矢印Ａの方向である。
【００１１】
一対の蝶番２は、基部１の下部と第１踏段部３の一端部とに渡って設けられている。また、一対の蝶番２は、間口方向に互いに離れて配置されている。それぞれの蝶番２は、間口方向に延びた回動軸（図示せず）を有している。
【００１２】
第１踏段部３は、蝶番２の回動軸を中心に回動することによって、この回動軸から水平方向に延びる水平位置（図３）とこの回動軸から下方に延びる下延位置（図１）との間で変位する。取手４は、第１踏段部３における間口方向中間部に配置されている。取手４は乗場にいる作業者が手を伸ばして届く位置に配置されている。
【００１３】
下延位置にある場合の第１踏段部３の下部には、チェーン８と係合する係合孔（係合部）３１が２個形成されている。係合孔３１は、第１踏段部３の間口方向に互いに離れて配置されている。
【００１４】
一対の蝶番５は、下延位置にある場合の第１踏段部３の下端部と連結板６の上端部とに渡って設けられている。また、一対の蝶番５は、間口方向に互いに離れて配置されている。それぞれの蝶番５は、間口方向に延びた回動軸（図示せず）を有している。
【００１５】
一対のローラ９は、連結板６の下端部に取り付けられている。また、一対のローラ９は、間口方向に互いに離れて配置されている。それぞれのローラ９は、間口方向に延びた回動軸を中心に回転する。また、それぞれのローラ９は、ピット１０１の壁１０２に形成された溝１０３に案内されている。図示していないが、溝１０３は、ローラ９が溝１０３から離れる方向へ移動することを規制するように形成されている。つまり、ローラ９は、溝１０３から離れる方向に移動することが規制されている。
【００１６】
連結板６は、第１踏段部３の昇降にともなって、連結板６の下端部が壁１０２に沿って昇降しながら、ピット１０１の中を昇降する。
【００１７】
第２踏段部７は、連結板６の昇降にともなって昇降する。第２踏段部７は、第２踏段部７が昇降することによって、ピット１０１の底面１０４の上に載せられる収納位置と底面１０４から所定の高さとなる上昇位置との間で変位する。具体的には、第１踏段部３の位置が下延位置である場合に、第２踏段部７の位置が収納位置となり、第１踏段部３の位置が水平位置である場合に、第２踏段部７の位置が上昇位置となる。第２踏段部７の位置が上昇位置である場合に、第１踏段部３と第２踏段部７との高さ方向の寸法は、作業者が上り下りすることができる程度の大きさとなっている。乗場敷居１００からピット１０１の底面１０４までの寸法は、１．８ｍ程度となっている。
【００１８】
それぞれのチェーン８の一端部は、第２踏段部７における壁１０２から最も離れた位置に接続されている。また、それぞれのチェーン８の一端部は、間口方向に互いに離れて第２踏段部７に接続されている。それぞれのチェーン８の他端部は、フック形状に形成された係合部となっており、係合孔１１および係合孔３１のそれぞれに係合可能となっている。チェーン８の他端部が係合孔１１に係合する場合に、チェーン８は、第２踏段部７を水平状態に維持する。これにより、作業者が第２踏段部７に乗った場合であっても、第２踏段部７が水平状態に維持される。
【００１９】
溝１０３の上部には、ローラ９を支持する凹部１０５（図２、図４）が形成されている。ローラ９は、第１踏段部３の位置が水平位置である場合に、凹部１０５に支持される。これにより、連結板６の下端部は、第１踏段部３の位置が水平位置である場合に、凹部１０５に支持される。その結果、第１踏段部３は、水平位置に維持される。
【００２０】
次に、エレベータピット昇降用梯子の組立手順について説明する。作業者は、取手４を持ち上げることによって、下延位置にある第１踏段部３を水平位置に変位させる。これにより、第２踏段部７が収納位置から上昇位置に変位する。また、第２踏段部７の位置が上昇位置となることによって、ローラ９が凹部１０５に支持される。最後に、チェーン８の他端部を係合孔３１から外し、係合孔１１に係合させる。以上により、エレベータピット昇降用梯子の組立が終了する。
【００２１】
エレベータピット昇降用梯子を収納する場合には、作業者は、チェーン８の他端部を係合孔１１から外し、係合孔３１に係合させる。その後、取手４を僅かに持ち上げて、凹部１０５によるローラ９の支持を解除させる。最後に、取手４を下げることによって、第１踏段部３が水平位置から下延位置に変位し、第２踏段部７が上昇位置から収納位置に変位する。以上により、エレベータピット昇降用梯子の収納が終了する。
【００２２】
以上説明したように、この発明の実施の形態１に係るエレベータピット昇降用梯子によれば、第１踏段部３の位置を下方位置から水平位置に短時間のワンタッチで変位させることによって組み立てることができるので、組立作業の効率を向上させることができる。
【００２３】
また、エレベータピット昇降用梯子は、第１踏段部３に設けられ、第１踏段部３を変位させるための取手４を備えているので、作業者は、第１踏段部３を容易に変位させることができる。
【００２４】
また、エレベータピット昇降用梯子は、第１踏段部３の位置が水平位置である場合に第２踏段部７を水平状態に維持するチェーン８を備えているので、第２踏段部７に作業者が乗った場合であっても、第２踏段部７を水平状態に維持することができる。
【００２５】
また、第２踏段部７は、網状に形成されているので、第２踏段部７に埃などの異物が体積することを抑制することができる。
【００２６】
また、連結板６の下端部は、第１踏段部３の位置が水平位置である場合に、ピット１０１の壁１０２に形成された凹部１０５に支持されるので、第１踏段部３に作業者が乗った場合であっても、第１踏段部３を水平位置に維持することができる。
【００２７】
なお、上記実施の形態１では、基部１を備えたエレベータピット昇降用梯子の構成について説明したが、基部１を備えないエレベータピット昇降用梯子の構成であってもよい。この場合、第１踏段部３は、蝶番２を介してピット１０１の壁１０２に回動可能に設けられる。
【００２８】
また、上記実施の形態１では、水平状態維持部材として、チェーンを例に説明したが、これに限らず、第１踏段部３の位置が水平位置である場合に第２踏段部７を水平状態に維持することができる部材であればよい。
【符号の説明】
【００２９】
１  基部、２  蝶番、３  第１踏段部、４  取手、５  蝶番、６  連結板、７  第２踏段部、８  チェーン（水平状態維持部材）、９  ローラ、１１  係合孔（係合部）、３１  係合孔（係合部）、１００  乗場敷居、１０１  ピット、１０２  壁、１０３  溝、１０４  底面、１０５  凹部。
【図１】
0005933511.tif 000002
【図２】
0005933511.tif 000003
【図３】
0005933511.tif 000004
【図４】
0005933511.tif 000005